(57)【要約】【課題】吸気と排気の方向が異なる横断流送風機を用い、電子機器内部を冷却する際に発生する騒音を抑えた筐体内の冷却装置を提供することである。【解決手段】筐体を構成する立設した第１の側面と、筐体を構成し第１の側面に対向して設けられた第２の側面と、筐体の内部に配置された発熱部品と、発熱部品の上方に設けられ、吸気方向に対して垂直方向を排気方向とする横断流送風機とを有し、第１の側面と前記横断流送風機との距離と、第２の側面と横断流送風機との距離のうちの距離の長い側の側面に排気口を設けると共に、横断流送風機の排気方向を排気口側に設定した冷却装置を筐体内に備えることを特徴とする。【選択図】図１
2015046485.tif 000002
【特許請求の範囲】
【請求項１】
筐体と、
前記筐体を構成する、立設した第１の側面と、
前記筐体を構成し、前記第１の側面に対向して設けられた第２の側面と、
前記筐体の内部に配置された発熱部品と、
前記発熱部品の上方に設けられ、吸気方向に対して垂直方向を排気方向とする横断流送風機とを有し、
前記第１の側面と前記横断流送風機との距離と、前記第２の側面と前記横断流送風機との距離のうちの距離の長い側の側面に排気口を設けると共に、前記横断流送風機の排気方向を前記排気口側に設定した筐体内の冷却装置。
【請求項２】
前記発熱部品を有する発熱室と、前記発熱部品を有さない排気室とに前記筐体を隔離する隔離壁をさらに有する請求項１記載の筐体内の冷却装置。
【発明の詳細な説明】
【技術分野】
【０００１】
本発明の実施態様は、筐体内の冷却装置に関する。
【背景技術】
【０００２】
電子機器等は、使用している電子部品が発熱する。電子機器の正常な動作、寿命の延長等の為に従来より電子部品から発生した熱を電子機器外部に放出して電子機器を冷却している。
【０００３】
電子機器の冷却においては従来より軸方向から吸い込み軸方向に送風する軸流送風機が用いられる事が多い。しかしながら電子機器の筐体に軸流送風機である吸気ファンや排気ファンを取り付けると騒音が大きくなってしまう。この為筐体内部を熱の発生する部屋と熱の発生しない部屋とに分割し、その壁に軸流送風機である吸気ファンや排気ファンを付ける事で騒音を抑えつつ電子機器を冷却する事が知られている。
【０００４】
しかしながら発熱部品は電子基板面に取り付けられている事が多く、また電子機器本体の底面等に水平に配置されている事が多い。発熱部品を効果的に冷却するには発熱部品の面方向を冷却の際の排気方向とするのが望ましい。しかしながら軸方向から吸い込み軸方向に送風する軸流送風機を排気に用いると排気口が電子機器の上面もしくは下面となってしまう。吸気と排気の方向が異なる横断流送風機を用いると排気口は電子機器の上面もしくは下面以外に設ける事が可能となるものの排気の際の騒音が大きくなってしまう。
【先行技術文献】
【特許文献】
【０００５】
【特許文献１】特開平９−４６０７７号公報
【発明の概要】
【発明が解決しようとする課題】
【０００６】
本発明が解決しようとする課題は、吸気と排気の方向が異なる横断流送風機を用いた、電子機器内部を冷却する際に発生する騒音を抑えた筐体内の冷却装置を提供することである。
【課題を解決するための手段】
【０００７】
上記課題を解決するために、筐体を構成する立設した第１の側面と、筐体を構成し第１の側面に対向して設けられた第２の側面と、筐体の内部に配置された発熱部品と、発熱部品の上方に設けられ、吸気方向に対して垂直方向を排気方向とする横断流送風機とを有し、第１の側面と前記横断流送風機との距離と、第２の側面と横断流送風機との距離のうちの距離の長い側の側面に排気口を設けると共に、横断流送風機の排気方向を排気口側に設定した冷却装置を筐体内に備えることを特徴とする。
【図面の簡単な説明】
【０００８】
【図１】第１の実施形態に係る電子機器の要部構成図。
【図２】第１の実施形態との比較のための電子機器の要部構成図。
【図３】第２の実施形態に係る電子機器の要部構成図。
【発明を実施するための形態】
【０００９】
（第１の実施形態）
以下に、本発明の一実施形態に係る筐体内の冷却装置を、図１および図２を参照して詳細に説明する。
【００１０】
立方体形状をした筐体２の内部に、図示しない電源等各種部品が装填されて電子機器１が構成されている。筐体２は立設した第１の側面と、この第１の側面と対向している第２の側面、図示しない立設した前側の側面と、この前側の側面と対向している後側の側面と、底面５を有している。
【００１１】
電子機器１の底面５近傍には、発熱部品７が実装された電子基板６が取り付けられている。なお電子基板６には複数の発熱部品７が実装されているが、本説明ではわかりやすくするために実装されている発熱部品７は１つとして説明する。
【００１２】
発熱部品７の上方には、横断流送風機８が図示しないフレーム等に固定されている。なおここで記載する横断流送風機８とは、シロッコファンやクロスフローファンと呼ばれる、吸気方向と排気方向とが異なるファンであり、本実施形態の横断流送風機８は吸気方向はＨ、排気方向はＦの矢印でその方向を示している。
【００１３】
また排気方向Ｆ側の延長上に立設している第２の側面には、電子機器１内部の熱を外部に放出するための排気口９が設けられている。
【００１４】
発熱部品７は通電すると熱を発生する。その熱を、横断流送風機８にて電子機器１の外部に排出する事で電子機器１の内部を冷却している。横断流送風機８の吸気方向はＨ、排気方向はＦの矢印でその方向を示しているが、その際排気方向Ｆは電子機器１の中央方向に向けてあり、その排気方向Ｆ側の延長上に立設している側面に排気口９を設けている。
【００１５】
よりわかりやすく言うと、横断流送風機８は電子機器１の中央には設けず、図１に示す様に、横断流送風機８と立設した第１の側面との距離をｘ、横断流送風機８と立設した第１の側面と対向して設けられている第２の側面との距離をｙとしたとき、横断流送風機８と離れている側面すなわち第２の側面側に排気口９を設け、排気方向はその排気口９に向ける様にしている。
【００１６】
比較の為、図２に、横断流送風機８に近い側面すなわち第１の側面側に排気口９’を設け、排気方向はその排気口９’に向けた要部構成図を示す。
【００１７】
電子機器１の内部から外部に空気が排出される際に発生する騒音は、排気口を通過する際の風速が高い程その騒音が大きくなることが知られている。図２に示す横断流送風機８では排出口９’が近傍にある為、横断流送風機８からの排気Ｆ’の風速は大きい状態で排気口９’を通過する。従って騒音が大きい。しかしながら本実施の形態に示す様に、横断流送風機８と離れている側面すなわち第２の側面側に排気口９を設け、排気方向はその排気口９に向ける様にしている。横断流送風機８の排気Ｆは排気口９に到達するまでにその風速が低下するため、図２に示す場合に比べ排気口９を通過する際の風速は小さく、電子機器１の内部から外部に空気が排出される際に発生する騒音を低減させる事が可能となる。
【００１８】
なお第１の実施の形態では、図１に示す様に横断流送風機８は下方から吸気して左方に排気した。しかしこれに限定する必要はなく、下方から吸気して図１中手前もしくは奥側へ排気する様に横断流送風機８しても良い。その場合においても、横断流送風機８と手前側側面と、横断流送風機８と奥側側面との距離を比較し、その距離が長い側面に排気口を設け、その排気口に向け横断流送風機８で排気する様にする。
【００１９】
なお本実施の形態における筐体は、立方体形状にて説明しているが、これに限定する必要はなく、例えば円筒状の筐体形状としてもよい。その際排気口を有する側面は円筒を構成する円のいずれか一部であり、これに対向する側面は排気口の位置から１８０度の位置の近傍となる。
【００２０】
（第２の実施形態）
以下に、本発明の第２の実施形態に係る筐体内の冷却装置を、図３を参照して詳細に説明する。
【００２１】
第２の実施形態は、隔離壁１０を新たに設け、電子機器１の内部を排気室１１と発熱室１２に別けると共に、隔離壁１０に横断流送風機８を設け、横断流送風機８と離れている側面すなわち第２の側面側に排気口９を設け、排気方向はその排気口９に向ける様にしたものである。
【００２２】
電子機器１の内部を区切らない場合、発熱部品７から発せられた熱のうち排気口９より外部に放出されない熱は電子機器１の内部に留まりつづけることとなり、発熱部品７の冷却を妨げる場合がある。
【００２３】
しかしながら隔離壁１０を新たに設け、電子機器１の内部を排気室１１と発熱室１２に別け、そして隔離壁１０に横断流送風機８を設ける事で、発熱部品７から発せられた熱は横断流送風機８にて吸気される。その排気は発熱室１２ではなく排気室１１側であるので、発熱部品７の熱の出戻りを防ぐ事が可能となりの発熱部品７の冷却を妨げることはない。また第１の実施例同様、横断流送風機８と離れている側面すなわち第２の側面側に排気口９を設け排気方向はその排気口９に向ける様にしたため、横断流送風機８の排気Ｆは排気口９に到達するまでにその風速が低下するため、図２に示す場合に比べ排気口９を通過する際の風速は小さく、電子機器１の内部から外部に空気が排出される際に発生する騒音を低減させる事が可能となる。
【００２４】
なお第２の実施の形態においても、図３に示す様に横断流送風機８は下方から吸気して左方へ排気する事に限定する必要はなく、下方から吸気して図３中手前もしくは奥側へ排気する様に横断流送風機８しても良い。その場合においても、横断流送風機８と手前側側面と、横断流送風機８と奥側側面との距離を比較し、その距離が長い側面に排気口を設け、その排気口に向け横断流送風機８で排気する様にする。
【００２５】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００２６】
１：電子機器
２：筐体
３：第１の側面
４：第２の側面 
７：発熱部品
８：横断流送風機
９：排気口
【図１】
2015046485.tif 000003
【図２】
2015046485.tif 000004
【図３】
2015046485.tif 000005